(57)【要約】【課題】可膨張式器具を提供する。【解決手段】可膨張式器具は、上層、下層、および、上層と下層に交互に接続され、上層と下層間に、波状パターンを形成して、上層と下層両方の変形を制限する少なくともひとつのストラップを含む。ストラップは、上層に接続される複数の第一接触部分、および、下層に接続される複数の第二接触部分を有する。上層の第一接触部分と下層の第二接触部分がオフセットで排列されて、上層と下層に対して垂直な方向から観察時、第一接触部分は、第二接触部分と重ならない。【選択図】図５
2014180552.tif 000002
【特許請求の範囲】
【請求項１】
可膨張式器具であって、
上層と、
下層と、
前記上層と前記下層に交互に接続されて、前記上層と前記下層間に、波状パターンを形成して、前記上層と前記下層両方の変形を制限する少なくともひとつのストラップと、
を含むことを特徴とする可膨張式器具。
【請求項２】
前記ストラップは、前記上層に接続される複数の第一接触部分、および、前記下層に接続される複数の第二接触部分を含み、前記上層の前記第一接触部分と前記下層の前記第二接触部分は、オフセットにより配列されて、前記上層と前記下層に対して垂直な方向から観察時、前記第一接触部分は、前記第二接触部分と重ならないことを特徴とする請求項１に記載の可膨張式器具。
【請求項３】
複数のストラップを含み、前記ストラップは、前記上層と前記下層に対し、縦方向に配置されることを特徴とする請求項１に記載の可膨張式器具。
【請求項４】
複数のストラップを含み、前記ストラップは、前記上層と前記下層に対し、横方向に配置されることを特徴とする請求項１に記載の可膨張式器具。
【請求項５】
前記上層は内表面領域を有し、前記ストラップと前記内表面領域間の総接触面積が前記内表面領域に占めるパーセンテージは６．３％以上であることを特徴とする請求項１に記載の可膨張式器具。
【請求項６】
前記ストラップと前記内表面領域間の前記総接触面積が前記内表面領域に占めるパーセンテージは、６３％以下であることを特徴とする請求項５に記載の可膨張式器具。
【請求項７】
前記下層は内表面領域を有し、前記ストラップと前記内表面領域間の総接触面積が前記内表面領域に占めるパーセンテージは、６．３％以上であることを特徴とする請求項１に記載の可膨張式器具。
【請求項８】
前記ストラップと前記内表面領域間の前記総接触面積が前記内表面領域に占めるパーセンテージは、６３％以下であることを特徴とする請求項７に記載の可膨張式器具。
【請求項９】
前記可膨張式器具は一表面上に設置され、前記下層の底面は突出した周辺端部を設置して、表面に対する吸引力を生成することを特徴とする請求項１に記載の可膨張式器具。
【請求項１０】
補助ストラップが、前記下層の外面と前記突出した周辺端部の内側壁間に配設されることを特徴とする請求項９に記載の可膨張式器具。
【請求項１１】
補助ストラップは、前記側壁の内表面と前記下層の内表面間に配設されることを特徴とする請求項１に記載の可膨張式器具。
【請求項１２】
第一補助バーが前記上層と前記側壁間のジョイントで提供され、第二補助バーが前記側壁と前記下層間のジョイントで提供されて、前記上層と前記下層両方の完全性を増加することを特徴とする請求項１に記載の可膨張式器具。
【請求項１３】
前記上層と下層間で延伸する前記ストラップの部分は、前記上層と前記下層に対して直角な基準線に対して傾斜することを特徴とする請求項１に記載の可膨張式器具。
【請求項１４】
前記ストラップは単一で、連続したストリップであることを特徴とする請求項１に記載の可膨張式器具。
【請求項１５】
前記ストラップは、前記上層と前記下層間で接続される複数の独立したストリップを含むことを特徴とする請求項１に記載の可膨張式器具。
【請求項１６】
前記上層に接続される接触部分を形成する前記ストラップの部分と前記接触部分から前記下層に延伸する前記ストラップの部分間で測定される角度は、９１度と１６７度の間であることを特徴とする請求項１に記載の可膨張式器具。
【請求項１７】
前記下層に接続される接触部分を形成する前記ストラップの部分と前記接触部分から前記上層に延伸する前記ストラップの部分間で測定される角度は、９１度と１６７度の間であることを特徴とする請求項１に記載の可膨張式器具。
【発明の詳細な説明】
【技術分野】
【０００１】
本発明は、可膨張式器具に関するものであって、特に、上層と下層間に接続される波状パターンのストラップを有する可膨張式器具に関するものである
【背景技術】
【０００２】
図１と図２には従来の可膨張式器具１が示され、この従来の可膨張式器具１は、上層１１、下層１２、および、上層１１の周辺端部と下層１２の周辺端部を接続して、上層１１と下層１２間に、少なくともひとつのスペースを形成する側壁１３を有する。上層１１と下層１２間のスペースの内側には、複数のコイル (または、ストラップ)１４がそれぞれ配設され、上層１１の下面と下層１２の上面をしっかりと結合する。上記コイル１４の配設により、上層１１は、その後、しっかりと、下層１２に接続される。注意すべきことは、各コイル１４の二末端と反対の接触部分１４Ａと１４Ｂは、それぞれ、且つ、しっかりと、上層１１と下層１２に接続されて、上層１１と下層１２の動きを制限することである。さらに、注意すべきことは、図１と図２に示される従来の配置において、コイル（または、ストラップ）と上層と下層をしっかりと接着するために、接触部分１４Ａと１４Ｂは、相対的に大きくなければならないことである。
【０００３】
図３には第二の従来の可膨張式器具２が示され、この第二の従来の可膨張式器具は、上層２１、下層２２、および、上層２１の周辺端部と下層２２の周辺端部を接続して、上層２１と下層２２間のスペースを形成する側壁２３を有する。上層２１と下層２２間のスペースの内側には、複数のストラップ２４がそれぞれ配設されて、上層２１の下面と下層２２の上面をしっかりと結合する。上記ストラップ２４の配設により、上層２１と下層２２の動きが制限される。 
図４から、注意すべきことは、各ストラップ２４の二末端と反対の接触部分２４Ａと２４Ｂは、それぞれ、且つ、しっかりと、可膨張式器具２の上層２１と下層２２に接続されることである。
【０００４】
図１から図４の説明からわかるように、各コイル（または、ストラップ）の接触部分１４Ａと１４Ｂ (または、２４Ａと２４Ｂ)は、それぞれ、上層と下層により定義される水平面に照準するので、上層と下層に対して垂直な方向から観察時、重なる。さらに、図１と図２を参照すると、各コイル（または、ストラップ）は、互いに独立している。図１から図４の従来のコイル、ストラップの配置は、材料を浪費し、組み立てプロセスを困難にする。
【発明の概要】
【発明が解決しようとする課題】
【０００５】
本発明は、上層と下層間に接続されるストラップを有する可膨張式器具において、使用する材料の量を減少させ、伸張強度が改善される可膨張式器具を提供することを目的とする。
【課題を解決するための手段】
【０００６】
本発明の一態様による可膨張式器具は、上層と、下層と、交互に、上層と下層に接続され、上層と下層間で波状パターンを形成して、上層と下層両方の変形を制限する少なくともひとつのストラップと、を含む。ストラップは、上層に接続される複数の第一接触部分、および、下層に接続される複数の第二接触部を含み、上層の第一接触部分と下層の第二接触部分は、オフセットにより排列されて、上層と下層に対して垂直な方向から観察時、第一接触部分は、第二接触部分と重ならない。
【発明の効果】
【０００７】
本発明により、使用する材料の量を減少させ、伸張強度が改善される。
【図面の簡単な説明】
【０００８】
【図１】従来の可膨張式器具の斜視図で、部分的な断面を示す図である。
【図２】図１に示される従来の可膨張式器具の断面図である。
【図３】もうひとつの従来の可膨張式器具の斜視図で、部分的な断面を示す図である。
【図４】図３に示される従来の可膨張式器具の断面図である。
【図５】本発明の実施の形態による可膨張式器具の斜視図で、部分的な断面を示す図である。
【図６】本発明の実施の形態によるストラップと上層と下層両方間の接触部分の配置を示す平面図である。
【図７】本発明の別の実施の形態によるストラップと上層と下層両方間の接触部分の配置を示す平面図である。
【図８】本発明の実施の形態による可膨張式器具の上層と下層間のストラップのパターンを示す図である。
【図９】別の実施の形態による可膨張式器具の上層と下層間のストラップのパターンを示す図である。
【図１０】さらに別の実施形態による可膨張式器具の上層と下層間のストラップのパターンを示す図である。
【図１１】可膨張ソファにおける交互-接触-ストラップの応用を示す斜視図である。
【図１２】可膨張式器具の上層と下層間に設置されるときのストラップと可膨張式器具の角度関係を示す図である。
【図１３】可膨張式器具の上層と下層間に設置されるときのストラップと可膨張式器具の高さ関係を示す図である。
【図１４】本発明の別の実施の形態による可膨張式器具の側面図である。
【図１５】本発明の別の実施形態による可膨張式器具の側面図である。
【図１６】本発明の好ましい実施の形態による可膨張装置の付属品を示す斜視図である。
【図１７】図１６に示される付属品が、可膨張式器具の横に接続されることを示す斜視図である。
【図１８】図１６に示される付属品が、可膨張式器具の横以外の位置に設置されることを示す斜視図である。
【図１９】本発明の好ましい実施の形態による可膨張式器具の一側に設置される折り畳み式ランプを示す斜視図である。
【図２０】図１９に示される位置以外の位置に設置される折り畳み式ランプを示す斜視図である。
【図２１】照明素子が備わっているリモコンを可膨張式器具に設置したことを示す斜視図である。
【発明を実施するための形態】
【０００９】
本発明の目的と利点は添付請求項に具体的に記載されている要素及び組合せによって実現、達成されるであろう。なお、上述の一般的な説明と、以下に述べる詳細な説明は具体例（実施形態）であって、例示だけを目的としており、特許請求されている本発明の範囲の限定を意図するものではない。
【００１０】
図５を参照すると、本発明の好ましい実施形態による可膨張式器具３は、上層３１、下層３２、および、上層３１の最外部周辺端部と下層３２の最外部周辺端部を接続して、上層３１と下層３２間に、少なくとも一つの受け入れスペースを形成する側壁３３を有する。複数のストラップ３４は、受け入れスペース内側に結合され、それぞれ、上層３１と下層３２に接続される。好ましくは、受け入れスペースは、空気入れポンプにより、しぼんだ状態から膨張状態に膨張する可膨張ブラダー、または、プレナムを定義する。上層、下層、側壁とストラップの材料は、ポリ塩化ビニル(ＰＶＣ)、または、可膨張製品に適当なその他の材料である。
【００１１】
図５と図８から図１０に示されるように、本発明の好ましい実施形態において、各ストラップ３４は、可膨張式器具が膨張するとき、上層３１と下層３２間で前後に延伸し、波状パターンを形成するストリップである。ストラップ３４の波状パターンにより、各ストラップ３４は、交互に、且つ、しっかりと、上層３１と下層３２に接続される。
【００１２】
図８と図１０に示されるように、本発明の好ましい実施形態において、各ストラップ３４は、単一で、連続したストリップである。図９に示されるように、別の実施形態において、各ストラップ３４は、上層と下層間に接続される複数の独立したストリップである。
【００１３】
図６、図７、および、図８において、複数の接触部分３４Ａと図３４Ｂが示される。説明のために、図６と図７において、各黒色の接触部分３４Ａは、上層３１と接触する各ストラップ３４の部分を示す。各白い接触部分３４Ｂは、各ストラップ３４と下層３２の接触部分を示し、図６と図７において、上層３１の真下にある。可膨張式器具３が膨張する時、上層３１の接触部分３４Ａと下層３２の接触部分３４Ｂは、オフセットで配列され、よって、上層と下層に対して垂直な方向から観察時、接触部分３４Ａは、接触部分３４Ｂと重ならない。
【００１４】
本発明の実施形態において、ストラップ３４は、可膨張式器具の側面に対して、縦方向か横方向に延伸する。さらに、図６に示されるように、所定の層に接続される接触部分は、縦か横方向で配列される、または、図７に示されるように、縦か横方向の配列はオフセットである。所定のストラップ３４において、ストラップの末端の第一接触部分が、上層３１または層３２に接続される。
【００１５】
本発明の実施形態において、接触部分３４Ａと図３４Ｂは、溶接により、それぞれ、上層３１と下層３２に接続される。しかし、従来の別の方法が用いられて、ストラップと上層と下層の接触部分を接着する。好ましい実施形態において、接触部分３４Ａと上層３１の全接続、および／または、接触部分３４Ｂと下層３２の全接続は、機械の単一プレスにより、同時に溶接される。
【００１６】
さらに注意すべきことは、上層３１の内表面と下層３２の内表面は、それぞれ、ストラップ３４の接触部分３４Ａと接触部分３４Ｂを結合するのに利用できる領域を定義することである。上層、および／または、下層の内表面の領域は、負荷が加えられる利用可能領域として定義される。好ましい実施形態において、接触部分３４Ａと図３４Ｂの総面積は、それぞれ、上層と下層の利用可能領域の６．３％ 以上である。さらに、好ましい実施形態において、接触部分３４Ａと図３４Ｂの総面積は、それぞれ、上層と下層の利用可能領域の６３％ 以下である。
【００１７】
図８を参照すると、本発明のある実施形態において、可膨張式器具３の下層３２の下面は、サポートがない。図９と図１０に示される別の実施形態において、突出した周辺端部３５、３５’が下層３２の下面に配設されて、可膨張式器具３が膨張した後、吸引カップが、可膨張式器具３下に形成される。さらに、可膨張式器具３の変形を減少、または、なくすため、図９に示されるように、補助ストラップ３６が、可膨張式器具３内側、側壁３３の内表面と下層３２の内表面の間に配設される。また、図１０に示されるように、補助ストラップ３７が、下層３２の外表面と突出した周辺端部３５’間に配設される。
【００１８】
図９に示される本発明の実施形態において、可膨張式器具３が膨張するとき、上層、下層と側壁３３は台形状を形成する。側壁３３の内壁と下層３２の側壁間の補助ストラップの追加は、台形状の変形を減少、または、なくす。図８と図１０は、可膨張式器具３の断面が長方形である本発明の実施形態を示す。
【００１９】
図１１を参照すると、別の好ましい実施形態において、可膨張装置３’ は、上層３１と側壁３３間のジョイントで提供される第一補助バー３８、および、側壁３３と下層３２間のジョイントで提供される第二補助バー３８’ を有して、上層３１と下層３２両方の完全性を増加する。さらに、直立の第二可膨張式器具３”は、要求と設計の違いに基づいて、しっかりと、または、着脱可能で、可膨張式器具３’に接続される。 
図１２と図１３を参照すると、注意すべきことは、ストラップ３４は、上層３１と下層３２間で交互に延伸するので、可膨張式器具が膨張するとき、上層と下層間で延伸するストラップの各部分３４Ｃは、上層３１と下層３２に垂直な基準線に対して傾斜することである。好ましい実施形態において、接触部分３４Ａ、または、３４Ｂに対するストラップの部分３４Ｃの角度は、９１度と１６７度の間である。好ましい実施形態において、角度は１１２度である。しかし、理解できることは、異なる要求と設計にしたがって、９０度より大きく、１８０度より小さい角度が、ストラップ３４の配置に用いられることである。
【００２０】
図１３に示されるように、 注意すべきことは、可膨張式器具が膨張するとき、各ストラップ３４は、上層と下層間で前後に延伸する部分により、波状パターンに形成されることである。図に示されるように、波状パターンは、上層から下層に、逆もまた同様に、所定の接触部分３４Ａの周辺端部から測定される高さＨを有する。上層中の所定の接触部分３４Ａの周辺端部から、下層中の隣接する接触部分３４Ｂの周辺端部に(逆もまた同様である)延伸する部分３４Ｃの長さはＹで、ＨはＹより短い。図に示されるように、Ｘは、上層中の接触部分３４Ａの周辺端部から、下層中の隣接する接触部分３４Ｂの周辺端部(逆もまた同様である)間の距離である。
【００２１】
可膨張式器具３の上層と下層間の波状パターンのストラップ３４の配置は、負荷が加えられるとき、可膨張装置の伸張強度を増加する。さらに、本発明の実施形態で開示されるストラップ３４の波状パターンは、上層３１の接触部分３４Ａが、下層３２の隣接する部分３４Ｂと、ストラップ３４の単一部分３４Ｃを共有して、図１と図２に示される従来のコイル配置に必要な面積より小さい面積の接触部分３４Ａと図３４Ｂを用いて、ストラップ３４と上層と下層をしっかりと接続することができる。よって、本発明により、図１と図２に示される従来の配置と比較して、ストラップに用いられる材料の量を減少させることができる。        
別の実施形態において、図１と図２に示される従来の配置と同量の材料が用いられるが、さらに多くの接触部分が提供されて、可膨張式器具の伸張強度が改善される。例えば、本発明の実施形態において、同量の材料で、図１と図２に示される従来の配置を用いて、上層と下層は、それぞれ、わずか４８個の接触部分しかないが、本発明の実施形態の配置方式により、接触部分は、９９個に達する。理解できることは、本発明の別の実施形態において、設計要求に従って、従来の配置で、材料の量と接触部分の数量を調和させることにより、材料の節約と伸張強度の改善の両方が達成されることである。
【００２２】
図１４と図１５を参照すると、別の実施形態において、また、可膨張装置４は、方形物体４１、細長い円形ヘッドボード４２、または、方形物体４１の一側に接続される細長い半楕円形ヘッドボード４２’が設置される。ヘッドボードは、任意の形状に形成され、方形物体４１に適合する。
【００２３】
図１６、図１７、図１８、図１９と図２０を参照すると、レセプタクル５は、アクセサリ、たとえば、めがね、ソフトドリンクのカップホルダー、または、ＵＳＢ装置と接続するＵＳＢソケット５２を収容する陥凹５１が設けられる。レセプタクル５は、膨張可能、または、曲げられない。単一レセプタクル５は、装置の一側に設置される、または、レセプタクル５は、ヘッドボード４２から隔たれた可膨張式器具の各側に設置される。あるいは、レセプタクル５は、ヘッドボード４２’に設置してもよい。更なる実施形態において、可膨張式器具に横たわるユーザーに照明を提供する目的のため、折りたたみ式ライト６が、ヘッドボード４２’の内側で定義される受け入れスペース４２１、または、方形物体４１の横層で定義される受け入れスペース４１１内側に設置される。
【００２４】
図２１を参照すると、更なる実施形態において、読書灯７が、可膨張式器具の電気空気入れポンプのリモコンに提供される。リモコンは、空気入れポンプの電源に電気的に接続され、ユーザーは、リモコンを用いて、可膨張式器具の膨張／収縮プロセスを制御し、必要に応じて、照明を提供することができる。
【００２５】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００２６】
従来例
１、２…可膨張式器具
１１、２１…上層
１２、２２…下層
１３、２３…側壁
１４、２４…コイル (または、ストラップ)
１４Ａと１４Ｂ、２４Ａと２４Ｂ…接触部分
本発明の実施の形態
３、３’、 ３”、４…可膨張式器具
３１…上層
３２…下層
３３…側壁
３４…ストラップ
３４Ａと図３４Ｂ…接触部分
３５、３５’…突出した周辺端部
３６、３７…補助ストラップ
３８…第一補助バー
３８’…第二補助バー
４１…方形物体
４２…円形ヘッドボード
４２’…半楕円形ヘッドボード
５…レセプタクル
５１…陥凹
５２…ＵＳＢソケット
６…折りたたみ式ライト
４１１、４２１…受け入れスペース
７…読書灯
【図１】
2014180552.tif 000003
【図２】
2014180552.tif 000004
【図３】
2014180552.tif 000005
【図４】
2014180552.tif 000006
【図５】
2014180552.tif 000007
【図６】
2014180552.tif 000008
【図７】
2014180552.tif 000009
【図８】
2014180552.tif 000010
【図９】
2014180552.tif 000011
【図１０】
2014180552.tif 000012
【図１１】
2014180552.tif 000013
【図１２】
2014180552.tif 000014
【図１３】
2014180552.tif 000015
【図１４】
2014180552.tif 000016
【図１５】
2014180552.tif 000017
【図１６】
2014180552.tif 000018
【図１７】
2014180552.tif 000019
【図１８】
2014180552.tif 000020
【図１９】
2014180552.tif 000021
【図２０】
2014180552.tif 000022
【図２１】
2014180552.tif 000023